(57)【特許請求の範囲】
【請求項１】
光ディスクが記録可能な状態になる以前に、メモリへ映像データを蓄積開始することにより撮影開始が可能なビデオカメラにおいて、装着された光ディスクが未使用ディスクか使用済みディスクかを検出する手段と、前記検出手段の検出結果に従い、撮影開始可能タイミングを設定する手段と、前記撮影開始可能タイミングを報知する手段とを備え、
前記設定手段は、前記光ディスクが前記未使用ディスクの場合においては、前記メモリへの映像データの転送レート及び前記メモリの容量と、前記光ディスクのフォーマット終了時と、に基づいて前記撮影開始可能タイミングを設定し、前記光ディスクが前記使用済みディスクの場合においては、前記メモリへの前記映像データの転送レート及び前記メモリの容量と、前記光ディスクのファイル管理情報取得の終了時と、に基づいて前記撮影開始可能タイミングを設定することを特徴とするビデオカメラ。
【請求項２】
前記設定手段は、更に、前記光ディスクの種別に応じて撮影開始可能タイミングを設定することを特徴とする請求項１に記載のビデオカメラ。
【請求項３】
前記設定手段は、更に、前記光ディスクの記録方式に応じて撮影開始可能タイミングを設定することを特徴とする請求項１に記載のビデオカメラ。
【請求項４】
前記検出手段は、前記光ディスクの所定領域の情報を再生し、その再生信号のエンベロープ検出結果に基づいて前記光ディスクが前記未使用ディスクか前記使用済みディスクであるかを検出することを特徴とする請求項１に記載のビデオカメラ。
【請求項５】
前記所定領域の情報は、欠陥情報又は管理情報であることを特徴とする請求項４に記載のビデオカメラ。
【請求項６】
前記検出手段は、前記光ディスクのユーザデータ領域の先頭位置を再生してＥＣＣ処理を行い、その処理結果に基づいて前記光ディスクが前記未使用ディスクか前記使用済みディスクであるかを検出することを特徴とする請求項１に記載のビデオカメラ。
【発明の詳細な説明】
【技術分野】
【０００１】
本発明は、光ディスク、光磁気ディスク等を記録媒体として情報を記録或いは再生するビデオカメラに関するものである。
【背景技術】
【０００２】
従来、電源投入後、記録媒体としてのディスクが記録可能な状態になるまでの待ち時間を短縮する装置としては、例えば、特開２００１−２１０００２号公報に記載されたものがある（特許文献１）。同公報のものは、データを記憶する半導体メモリを有し、電源投入後、まず、データをメモリに記憶させて、ディスク記録手段においてディスクに対するデータ記録動作が可能となった後に、メモリに記憶されたデータを読み出してディスクに記録する。
【０００３】
これにより、電源供給の開始後、データが一旦メモリに記憶されるので、ディスクが記録可能となるまでの待ち時間を短縮することができる。
【０００４】
メモリへの記憶開始のタイミングについては、カメラ側の電気回路系が動作可能となった直後に記憶可能フラグを“Ｈ”としてメモリに記憶を開始する。また、ディスク記録手段の準備処理（モータ起動、フォーカス及びトラッキングサーボの引き込み、アクセス、自動調整、ディスク種類判別等）が完了すると、ディスクへの記録を開始する。
【０００５】
また、記憶可能フラグが“Ｈ”になった時、所定の待ち時間を経過した後でメモリにデータの記憶を開始するとしている。
【０００６】
更に、同公報には、ディスクに記録可能となるまでの時間が長く、記憶開始後の全てのデータを記憶できない場合に、先に記憶したデータから上書きする方法で、常に最新のデータを記憶してこれを記録媒体に記録するので、記録データが不連続になることがないと記載されている。
【０００７】
また、他の従来例として、例えば、特開２００３−３１７３８９号公報に記載されたものがある（特許文献２）。
【０００８】
同公報のものは、電源投入後にディスク回転の起動、レーザ発光、フォーカス及びトラッキングサーボの引き込み、サーボ系の各種自動調整を行う。次にレーザパワー等の学習を行い、ディスクの種類の判別をする。更に、書き換え型のディスクでは欠陥の管理情報、追記型のディスクでは追記可能位置に関する情報等を読み出す。以上の起動処理が完了後に記録可能状態であることを使用者に報知する。ここで、使用者が記録開始を指示すると撮像データを圧縮符号化してメモリに蓄積を開始する。
【特許文献１】特開２００１−２１０００２号公報
【特許文献２】特開２００３−３１７３８９号公報
【発明の開示】
【発明が解決しようとする課題】
【０００９】
特許文献１の方法では、カメラの電気系が動作可能となったら半導体メモリにデータを蓄積開始し、ディスクへの記録準備が完了した時点で記録を開始する。
【００１０】
しかしながら未使用ディスクが挿入されたときには、そのディスクが未使用であることを検出して、フォーマット処理（欠陥情報の初期化、論理フォーマット処理、所定領域のパディング処理等）が必要となる。フォーマット処理には少なくとも数秒程度の時間を要するため、ディスクへの記録が可能となるまでの時間が大きく変動してしまう。
【００１１】
従ってフォーマット処理に要する時間を考慮してメモリへの記憶開始タイミングを設定しないと、メモリ容量によってはディスクへの記録が可能となる前に、記憶しようとするデータ量がメモリ容量を超えてしまうことになる。その結果、使用者が記録されていると認識していたデータの一部が、欠落してしまうことがあった。
【００１２】
また、特許文献１のものは、メモリに順次データを蓄積し、最後尾に達した場合には先頭に戻って上書きすることにより蓄積を継続し、常に最新のデータを記憶している。そのため、ディスクに記録されたデータは不連続にはならないが、メモリに蓄積開始した直後のデータはディスクに記録されないので使用者に不快感を与えることがあった。
【００１３】
特許文献２のものは、ディスクの起動が完了して記録が可能であることを報知し、使用者の指示によりメモリへの記憶を開始している。従って未使用ディスクの場合にはフォーマット後に記録可能であることを報知してメモリへの蓄積を開始できるが、それまでの間は撮影不可能時間となってしまうので、撮影開始までの待ち時間が著しく増加してしまった。
【００１４】
本発明の目的は、未使用か使用済みディスクかに応じて撮影開始可能時刻を設定することにより、メモリの蓄積データがメモリ容量を超えることがなく、撮影データを全てディスクに記録することができ、しかも、未使用ディスクであっても撮影開始までの待ち時間を短縮することが可能なビデオカメラを提供することにある。
【課題を解決するための手段】
【００１５】
上記目的を達成するために、本発明は、光ディスクが記録可能な状態になる以前に、メモリへ映像データを蓄積開始することにより撮影開始が可能なビデオカメラにおいて、装着された光ディスクが未使用ディスクか使用済みディスクかを検出する手段と、前記検出手段の検出結果に従い、撮影開始可能タイミングを設定する手段と、前記撮影開始可能タイミングを報知する手段とを備え、
前記設定手段は、前記光ディスクが前記未使用ディスクの場合においては、前記メモリへの映像データの転送レート及び前記メモリの容量と、前記光ディスクのフォーマット終了時と、に基づいて前記撮影開始可能タイミングを設定し、前記光ディスクが前記使用済みディスクの場合においては、前記メモリへの前記映像データの転送レート及び前記メモリの容量と、前記光ディスクのファイル管理情報取得の終了時と、に基づいて前記撮影開始可能タイミングを設定することを特徴とするビデオカメラ。
【発明の効果】
【００１６】
本発明によれば、ディスクに記録可能となる状態まで待つ必要がなく、電源投入から撮影可能となるまでの時間を短縮できる。しかもディスクが未使用であるか使用済みかに拘わらず撮影開始後のデータは全てディスクに記録できる。
【００１７】
また、使用済みディスクと未使用ディスクのみならずディスクの種別に対応して適切に撮影可能時刻を設定することにより、ディスク種別に拘わらず撮影開始までの時間を短縮でき、撮影開始後のデータをすべてディスクに記録できる。
【００１８】
更に、使用済みディスクと未使用ディスク、ディスク媒体の種別及び記録方式に応じて適切に撮影可能時刻を設定することにより、ディスクの種別や記録方式に拘わらず撮影開始までの時間を短縮でき、撮影開始後のデータをすべてディスクに記録できる。
【００１９】
また、光ディスクが未使用が使用済みかを光ディスクの所定領域の情報に基づいて高速に判別することにより、立ち上げ時間を短縮できる。
【発明を実施するための最良の形態】
【００２０】
次に、発明を実施するための最良の形態について図面を参照して詳細に説明する。
【００２１】
（第1の実施形態）
図１は本発明に係るビデオカメラの第１の実施形態を示すブロック図である。図中１０１はレンズ、１０２はＣＣＤ等の撮像センサ、１０３は映像信号処理部、１０４はレンズを駆動するレンズドライバー、１０５は映像や音声信号を圧縮・伸張する圧縮伸張処理部、１０６は表示手段としてのＬＣＤ表示部である。
【００２２】
１０７は映像表示処理部、１０８はメモリ、１０９は制御マイコン、１１０はフラッシュメモリ、１１１はバッテリー、１１２は電源スイッチ、１２０は情報記録媒体であるディスク、１２１はディスク１２０を回転駆動するスピンドルモータである。ディスク１２０には、例えば、光ディスク、光磁気ディスク等が用いられる。
【００２３】
更に、１２２はディスク１２０に対して信号の記録または再生を行うピックアップ、１２３は再生信号または記録信号の処理を行うドライブ信号処理部、１２４はピックアップ１２２をディスク１２０の径方向に移動させる送りモータである。また、１２５はピックアップ１２２のフォーカス及びトラッキング制御を行い、更にピックアップ１２２内の半導体レーザを駆動するピックアップドライバーである。なお、図１では音を集音するマイク或いは音を処理する回路等については省略している。
【００２４】
撮影時においては、被写体像がレンズ１０１を介して撮像センサ１０２に結像され、撮像センサ１０２で光電変換される。撮像センサ１０２で変換された電気信号は映像信号処理部１０３で映像信号に変換される。映像信号は圧縮伸張処理部１０５に供給され、デジタルの映像圧縮信号に変換される。圧縮方式としては、静止画を扱う場合にはＪＰＥＧ方式、動画を扱う場合はＭＰＥＧ方式等の公知の技術が用いられる。映像信号は映像表示処理部１０７を介してＬＣＤ表示部１０６に表示される。
【００２５】
圧縮された映像信号はメモリ１０８に逐次保持され、メモリ１０８に保持された映像信号をディスク１２０に記録する場合には、まず、スピンドルモータ１２１によりディスク１２０を回転駆動する。次に、ピックアップドライバー１２５によりピックアップ１２２のフォーカス及びトラッキングアクチュエータを制御してサーボ制御を行う。サーボが正常に制御された後に、必要に応じてピックアップ１２２を記録アドレス位置までシークし、そこで記録開始アドレスまで回転待ちして所望の記録アドレスから記録を開始する。
【００２６】
通常、映像データをメモリ１０８に転送するレートに比べて、メモリ１０８からディスク１２０に記録する際のレートの方が速い。従って、圧縮された映像データがメモリ１０８に蓄積されて所定量に達するまで、ディスクドライブを休止することができる。
【００２７】
図２は間欠記録の概略図である。図２（ａ）はメモリのデータ蓄積量、図２（ｂ）はドライブの休止、起動の制御信号、図２（ｃ）は記録タイミングの制御信号である。間欠動作のために、メモリ１０８内のデータ蓄積量に対してしきい値Ｔｈが設定されている。ドライブが休止している間、メモリ１０８にデータが蓄積され、時刻ｔ１でデータ蓄積量がしきい値Ｔｈに達すると、ドライブを起動してサーボを制御し、所定のトラックにシークする。
【００２８】
シークが完了すると時刻ｔ２で記録を開始し、メモリ１０８内のデータをディスク１２０に記録して時刻ｔ３で再び休止する。具体的には、スピンドルモータ１２１を停止してディスク１２０の回転を止める、またはサーボ制御を停止してレーザを消灯する等によりディスクドライブの消費電力を低減する。以上のように休止と起動を繰り返しながら記録を行う。
【００２９】
図３は本発明に係る起動シーケンスのフローを示す。以下の処理は制御マイコン１０９で行うものとする。まず、Ｓ１０１において使用者が電源スイッチ１１２をオンすると、バッテリー１１１から装置各部に電力が供給され、回路が初期化される。
【００３０】
次に、Ｓ１０２でディスク１２０が装置に装着されているか否かを判別する。この判別は、例えば、ピックアップ１２２から光ビームを照射し、その反射光量が所定値以上の時はディスク１２０が装着されていると判断する。
【００３１】
次いで、Ｓ１０３でサーボの立ち上げ処理を実行する。手順としては、スピンドルモータ１２１を回転駆動し、所定回転数に到達したらピックアップ１２２内の半導体レーザを点灯する。その後、フォーカスサーボを起動し、フォーカスサーボが正常に動作していることを確認したら、次にトラッキングサーボを起動する。
【００３２】
このサーボ立ち上げの過程のＳ１０４でディスク１２０の種類を判別する。媒体種類は、例えば、フォーカス引き込みの際のディスク１２０からの反射光の振幅、或いはトラッキング横断信号の振幅等に基づいて判別することができる。
【００３３】
媒体としては、例えば、ＤＶＤ−Ｒ、ＤＶＤ−ＲＷ等があり、１つのビデオカメラでこれら複数種類の媒体を使用するため、予め媒体種類を検出する。例えば、ＤＶＤ−ＲとＤＶＤ−ＲＷに応じてサーボ制御パラメータ、或いは信号処理回路等を切り換える。これら媒体種別に応じた処理は周知であるので詳しい説明は省略する。この時点で、媒体種別に応じた信号の再生処理が可能な状態となる。
【００３４】
次に、Ｓ１０５において欠陥情報の取得を行う。欠陥情報とは、媒体上の欠陥位置と、その欠陥部の交替位置を記録した情報である。この情報は、ディスクの規格等で規定されているトラック位置に配置されており、その位置にピックアップ１２２をシークして読み出す。
【００３５】
欠陥情報を読み出す場合、ディスク１２０が未使用であると所定トラック位置に未だ欠陥情報は記録されていない。従って、欠陥情報の読み出し開始位置から所定期間、再生信号振幅を監視することにより、未使用ディスクか否かの判別を行うことができる。
【００３６】
ここで、未使用ディスクとはフォーマットされていないディスクをいう。また、使用済ディスクとはフォーマット済のディスクをいう。
【００３７】
図４はディスクから欠陥情報を読み出した場合の使用済みディスクの再生信号と未使用ディスクの再生信号を示す。図４（ａ）は使用済みディスク、図４（ｂ）は未使用ディスクの再生信号である。使用済みディスクの場合は図４（ａ）に示すように振幅Ａの所定振幅の信号となるが、未使用ディスクの場合には図４（ｂ）の振幅Ｂのように信号振幅は極端に小さい値となる。従って、再生信号のエンベロープ検出を行い、その振幅値を所定のしきい値と比較することにより使用済ディスクか否かを判断することができる。
【００３８】
図１においては、ドライブ信号処理部１２３等を制御して欠陥情報を読み出し、上述のように図示しないエンベロープ検出回路でその再生信号のエンベロープ検出を行い、制御マイコン１０９にてその振幅値と所定しきい値とを比較することで未使用か否かの判別を行う。
【００３９】
また、他の方法として、ディスクのユーザデータ領域の先頭位置を再生し、再生データをドライブ信号処理部１２３においてＥＣＣ処理し、その結果がエラーであった場合には所定回数再生を再試行する。そして再試行を行ってもなおエラーであった場合には、そのディスクを未使用ディスクと判断する方法もある。
【００４０】
次に、Ｓ１０６において撮影開始可能時刻（タイミング）の設定を行う。これは、後述するように未使用ディスクか使用済みディスクかに応じてそれぞれ撮影が開始可能となるタイミングを設定するものである。この処理については詳しく後述する。
【００４１】
次に、Ｓ１０７においてディスク１２０に記録する際の記録パワー等の最適値を決定するための学習処理を行う。これは、ディスク１２０のテスト領域において記録パワーの調整パラメータを段階的に変えながら記録し、その後、再生した信号を適切は評価指標を用いて評価することにより最適値を探索するものである。この評価指標は、信号の再生振幅値、ＰＲＭＬを用いる再生系においては、ビタビ復号の尤度等を基に生成することができる。
【００４２】
学習により得られた記録パワーの最適等のパラメータは、必要に応じてフラッシュメモリ１１０に保存する。これにより、電源スイッチ１１２がオフされてもディスク１２０が交換されない限りフラッシュメモリ１１０からデータを読み出すことにより学習なしで最適値を取得することが可能となる。
【００４３】
次に、Ｓ１０８においてＳ１０５の欠陥情報に基づく判別結果に応じてディスク１２０が未使用か否かの判断を行い、それに応じて処理を分岐する。
【００４４】
欠陥情報は、ディスク上の欠陥領域のアドレスを管理するテーブルである。ディスク使用中に検出した欠陥領領域のアドレスをこのテーブルに保持し、任意のタイミングでディスク上の所定の管理領域に記録する。未使用ディスクでは、このテーブル自体が記録されていない状態であるので、このテーブルの有無を検出することにより未使用か否かを判別することができる。
【００４５】
未使用ディスクの場合は、Ｓ１０９に進み、ファイルシステムによるフォーマット処理を行う。フォーマットは、ディスク１２０の所定領域に管理情報、ディスクの空きエリアを管理するスペースビットマップ等を記録するものである。一般的に、フォーマットが必要な場合には、その動作の完了までに数秒〜十数秒程度要する。
【００４６】
使用済みディスクの場合は、Ｓ１１０に進み、ディスク１２０に記録されている管理情報を読み出してファイルシステムの立ち上げを行う。以上の処理が完了すると、Ｓ１１１でディスク１２０に記録開始可能となる。
【００４７】
ここで、図２の間欠動作で説明したように撮影した映像データは一旦メモリ１０８に蓄積された後、ディスク１２０に記録される。従って、図３のＳ１１０においてディスク１２０への記録を開始する時刻より以前の撮影映像データをメモリ１０８に蓄積しておくことにより、撮影者が電源をオンしてから録画開始できるまでの時間を短縮することができる。即ち、実際にディスクへの記録が可能となる前に、図示しない録画ボタン（撮影ボタン或いはＲＥＣボタン）を押すことにより撮影が可能となる。
【００４８】
図５は電源オンからディスク１２０に記録を開始するまでのタイムチャートを示す。時刻ｔ０で電源をオンし（図３のＳ１０１）、ディスク１２０の有無判別後（Ｓ１０２）、時刻ｔ１よりサーボの立ち上げ動作を開始する（Ｓ１０３）。初期立ち上げ動作が完了すると、欠陥情報の再生、学習動作等を行う（Ｓ１０５〜Ｓ１０７）。そして、未使用ディスクか否かを判別し（Ｓ１０８）、未使用ディスクの場合には、時刻ｔ２でフォーマット処理を開始し（Ｓ１０９）、使用済みディスクの場合にはファイル管理情報を再生する（Ｓ１１０）。
【００４９】
ここで、フォーマットが必要な場合、図５に示すように時刻ｔ２から時刻ｔ４までの時間を要する。一方、ファイル管理情報を読み込む場合には、時刻ｔ２から時刻ｔ３の時間で完了する。時刻ｔ４以降はユーザデータをディスク１２０に記録可能な状態となる。従って、未使用ディスクの場合には、ユーザデータの記録が可能となるまでに要する時間が、使用済みディスクの場合より多くなる。
【００５０】
図６（ａ）は図５のフォーマット及びファイル管理情報を取得する場合のタイミングを示す。図６（ｂ）は時刻ｔ５から映像データの蓄積を開始した場合のメモリ蓄積量、図６（ｃ）は時刻ｔ７から蓄積した場合のメモリ蓄積量を示す。
【００５１】
図６（ｂ）に示すように時刻ｔ２より以前の時刻からメモリ１０８に蓄積を開始すると、時刻ｔ６からディスク１２０への記録が行われる。そのため、使用済みディスクであれば図６（ａ）のファイル管理情報取得後の時刻ｔ３の時点でディスク１０８への記録が可能となるので、メモリ蓄積量のしきい値を超えることなく動作することができる。
【００５２】
一方、未使用ディスクの場合には、図６（ａ）に示すようにフォーマットを取得するのに時刻ｔ４まで時間を要し、その後、ディスク１２０に記録可能となる。そのため、時刻ｔ５からメモリ１０８への蓄積を開始すると、メモリ蓄積量のしきい値を超えてしまい、メモリ容量をオーバーフローしてしまう。
【００５３】
よって、フォーマットを必要とする場合には、図６（ｃ）に示すように時刻ｔ７から蓄積を開始し、時刻ｔ８でディスク１２０に記録を開始するシーケンスが求められる。本実施形態では、未使用ディスクが装着され、フォーマット処理を行う場合でも、出来る限り早く撮影が可能となり、且つ、メモリ１０８に蓄積されたデータがオーバーフローすることなく、ディスク１２０に記録できるように撮影開始可能時刻（タイミング）を設定する。
【００５４】
次に、撮影開始可能時刻の設定方法について説明する。まず、未使用ディスクでフォーマットが必要な場合について示す。
【００５５】
間欠動作においてデータを蓄積するメモリの容量をＳとし、映像のデータ転送レートをＶｓとすると、メモリ蓄積量の上限に達するまでの時間Ｔｍは、
Ｔｍ＝Ｓ／Ｖｓ
となる。
【００５６】
例えば、メモリ容量を１０Ｍバイト、映像データの平均転送レートを９Ｍｂｐｓとすると、メモリ容量の上限に達するまでの時間Ｔｍは、
Ｔｍ＝８０Ｍｂｉｔ／９Ｍｂｉｔ＝ 約９（ｓｅｃ）
となる。
【００５７】
ここで、フォーマットに要する時間Ｔｆは、図６（ａ）に示すようにＴｆ＝ｔ４−ｔ２となる。例として、Ｔｆ＝１０（ｓｅｃ）とすると、前述のＴｍとの差Δｔ＝Ｔｆ−Ｔｍで約１（ｓｅｃ）となる。よって、図６（ａ）の時刻ｔ２から少なくともΔｔ２以上経過した後にメモリ１０８への蓄積を開始すれば、メモリ容量をオーバーフローしないでディスク１０２への記録ができる。従って、図６（ｃ）に示すように時刻ｔｓ２を撮影開始可能時刻とすることができる。
【００５８】
次に、使用済みディスクの場合の撮影開始可能時刻について説明する。使用済みディスクの場合には、ディスク１２０に記録されているファイルシステムの管理情報を取得して初期化する。図６（ａ）ではｔ２〜ｔ３が、ファイル管理情報の取得を行う期間である。ここに要する時間はＴｉ＝ｔ３−ｔ２で、これを約６（ｓｅｃ）とする。
【００５９】
前述と同様の条件でメモリ１０８に映像データが蓄積されると、その時間はＴｍ＝約９（ｓｅｃ）であるので、その差はΔｔ１＝Ｔｍ−Ｔｉ＝３（ｓｅｃ）となる。但し、ファイル管理情報取得に要する時間はメモリが上限に達するまでの時間より短いので、ファイル管理情報取得の開始時刻ｔ２より手前の時間を撮影可能時刻として設定することが出来る。
【００６０】
よって、図６（ｂ）に示すように時刻ｔ２よりΔｔ１手前の時刻ｔｓ１を、使用済みディスクの撮影開始可能時刻とする。時刻ｔｓ１の設定方法として、図５の学習開始時刻ｔ９から所定時間経過後をｔｓ１として、撮影者に撮影開始可能であることを報知すればよい。
【００６１】
前述のようにディスク１２０が未使用ディスクであるか使用済みディスクであるかは、上述のように図３のＳ１０５で欠陥情報を再生した時点で判断する。従って、図３に示すように未使用ディスクか使用済みディスクかを判断した後に、Ｓ１０６で撮影開始可能時刻ｔｓ１或いはｔｓ２を設定する。
【００６２】
撮影開始可能時刻の具体的な設定方法としては、未使用ディスクの場合はフォーマット開始時刻からオフセット時間をセットし、使用済みディスクの場合には学習開始時刻からオフセット時間をセットすることにより行う。そして、これら未使用ディスクと使用済みディスクのオフセット時間に達すると、後述するようにＬＣＤ表示部１０６にメッセージを表示して撮影開始可能であることを知らせる。また、所定の電子音や音声等で知らせても良い。
【００６３】
次に、撮影開始可能であることを撮影者に報知するためのインタフェースについて説明する。図７は図１のＬＣＤ表示部１０６の表示画面の表示の移り変わりを示す。撮影者は、装置の状況に応じたメッセージを確認しながら撮影操作を行う。
【００６４】
図８は未使用ディスクと使用済みディスクの起動時の動作を示すタイムチャートである。図８の時刻は図６の時刻と対応している。使用済みディスクの場合、図８（ｂ）に示すように時刻ｔｓ１で撮影可能時刻、即ち、メモリ１０８への映像データの蓄積が可能な状態となる。よって、電源オンから時刻ｔｓ１までは、図７（ａ）に示すようにＬＣＤ表示部１０６にカメラからの映像に重ねて“準備中”のメッセージを表示する。
【００６５】
時刻ｔｓ１で撮影可能時刻となったら図７（ｂ）に示すようにＬＣＤ表示部１０６に“準備完了”メッセージを表示する。そして、撮影者が不図示の録画ボタンを押下すると、撮影が始まり図８（ｂ）の時刻ｔ５よりメモリ１０８への蓄積を開始する。この時、ＬＣＤ表示部１０６の画面には図７（ｃ）に示すように“メモリ記憶”のメッセージを表示する。
【００６６】
更に、ファイル管理情報の取得が時刻ｔ３で完了し、ディスク１２０への記録が可能となった後、メモリ１０８のデータ蓄積量が所定の値となったら、時刻ｔ６でディスク１２０への記録を行う。そして、この時、図７（ｄ）に示すようにＬＣＤ表示部１０６に“ディスク記録”のメッセージを表示する。
【００６７】
次に、未使用ディスクの場合について説明する。未使用ディスクの場合には、最初にフォーマット処理が必要となるので、使用済みディスクと比べてディスクに記録可能となるまでに多くの時間を要する。
【００６８】
図８（ａ）の時刻ｔ２よりフォーマットを開始し、図８（ｃ）の時刻ｔｓ２の時点で撮影開始可能となる。よって、時刻ｔｓ２までは図７（ａ）に示すように、画面に“準備中”のメッセージを表示する。尚、メッセージの内容は“フォーマット中”等に置き換えて表示しても良いことは言うまでもない。
【００６９】
時刻ｔｓ２で撮影可能となったら、図７（ｂ）に示すように“準備完了”のメッセージに切り換える。これもＲＥＣ Ｐａｕｓｅを示す記号に置き換えることが可能である。撮影者は、“準備完了”のメッセージを認識した後、適当なタイミングで不図示の録画ボタンを押下することにより時刻ｔ７より撮影を開始する。
【００７０】
撮影している映像信号は時刻ｔ７からメモリ１０８に蓄積される。そして、図７（ｃ）に示すように“メモリ記憶”というメッセージに切り替わる。但し、この時点では未だフォーマット処理は完了していない。
【００７１】
時刻ｔ４でフォーマットが完了すると、ディスク１２０に記録可能な状態となる。但し、図８（ｃ）では時刻ｔ４の時点でメモリ１０８の蓄積量に余裕があるので、時刻ｔ８の時点からディスク１２０への記録を行う。その際には、図７（ｄ）に示すようにＬＣＤ表示部１０６には“ディスク記録”を表示する。
【００７２】
なお、ＬＣＤ表示部１０６の表示画面にメッセージ文字列を表示する例を示しているが、これは適切な絵や記号等に置き換えることが可能である。
【００７３】
撮影者は、撮影開始可能時刻の時点から不図示の録画ボタンを操作して撮影を始めることができる。従って、ディスク１２０への記録が可能となる状態まで待つ必要がなく、しかも、ディスク１２０が未使用か使用済みかに拘わらず撮影開始後のデータは全てディスク１２０に記録することができる。
【００７４】
また、撮影の際に装置の状況を確実に把握できるので、映像データがディスク１２０に記録されているのか、メモリ１０８に記憶中かを即座に認識することができる。
【００７５】
（第２の実施形態）
図９は本発明の第２の実施形態のフローを示す。本実施形態の装置は基本的な構成は図１と同様であるので詳しい説明は省略する。本実施形態では、媒体種別毎に起動シーケンスが異なる場合でも、撮影可能時刻を適切に設定するものである。
【００７６】
まず、Ｓ２０１で電源をオンし、Ｓ２０２においてディスク１２０の有無を判別する。ディスクの有無の判別方法は図３で説明した通りである。次に、Ｓ２０３及びＳ２０４でサーボの立ち上げ及び媒体種別の判別を行う。これも図３と同様である。
【００７７】
媒体種別判別後に、ピックアップ１２２を媒体毎に規定されているディスクの管理情報が記録されているトラックに移動させて、Ｓ２０５で管理情報を再生する。管理情報を再生する際に、読み出し開始位置から所定期間再生信号の振幅を監視することにより、未使用ディスクか否かの判別を行う。なお、第１の実施形態では欠陥情報を再生して未使用ディスクか否かを判別したが、本実施形態では管理情報を再生して未使用ディスクか否かの判別を行う。判別方法は第1の実施形態と同様である。
【００７８】
次に、未使用ディスクか使用済みディスクかの判別結果に従い、Ｓ２１４で撮影開始可能時刻（撮影可能開始タイミング）の設定を行う。本実施形態では、媒体種別に応じて撮影開始可能時刻の設定を行う。撮影開始可能時刻の設定方法は後述する。
【００７９】
次に、Ｓ２０６でレーザパワーの最適値を探索するための学習処理を行う。この方法も第１の実施形態と同様である。
【００８０】
次に、Ｓ２０７で未使用ディスクであるか使用済みディスクであるかを判定し、判定結果に応じて処理を分岐する。使用済みディスクの場合はＳ２０８に移行し、未使用ディスクの場合にはＳ２０９に移行する。
【００８１】
Ｓ２０８では、Ｓ２０４における媒体種別の判別結果に応じてメディア種別を判別し、メディア種別に従って処理を分岐する。この場合の種別には、上述のようにＤＶＤ−ＲディスクとＤＶＤ−ＲＷがあり、ＤＶＤ−Ｒディスク場合には、Ｓ２１０で記録済みデータ領域に関する情報が保持されている領域を再生し、ディスク記録情報を取得する。これは、追記する際の先頭アドレス値等の情報を含むものである。その後、Ｓ２１３でディスクに記録開始可能となる。
【００８２】
ＤＶＤ−ＲＷディスクの場合には、Ｓ２１１でファイルシステムの管理情報を再生して取得し、Ｓ２１３で記録可能な状態となる。
【００８３】
一方、Ｓ２０７で未使用ディスクと判断された場合には、Ｓ２０９でメディア種別の判別を行い、メディア種別毎に処理を分岐する。この場合も同様にＳ２０４の媒体種別の判別結果に応じてメディア種別を判別する。
【００８４】
ＤＶＤ−Ｒディスクの場合には、Ｓ２１３で即座に記録可能な状態となる。また、ＤＶＤ−ＲＷディスクの場合には、Ｓ２１２でファイルシステムのフォーマット処理等が必要となる。従って、所定のディスク領域に必要なデータを記録した後に、Ｓ２１３でディスク１２０に記録可能な状態となる。
【００８５】
以上のように、ディスクが未使用か使用済みかだけでなく、ディスクの種別によっても記録可能となるまでの時間が異なる。従って、ディスクの種別毎にメモリへの蓄積開始が可能となる撮影可能時刻を設定することが必要となる。
【００８６】
次に、図１０に基づいて本実施形態による撮影可能時刻の設定方法を説明する。尚、学習終了までのタイムチャートは第１の実施形態の図５と同様であるので詳しい説明は省略し、それ以降の動作を説明する。
【００８７】
図１０（ａ）はＤＶＤ−Ｒの使用済みディスクの場合を示す。時刻ｔ０から時刻ｔ１の期間でディスク記録情報の取得を行っている。
【００８８】
図１０（ｂ）はＤＶＤ−ＲＷの使用済みディスクの場合を示す。時刻ｔ０からｔ２の期間でファイルシステムの起動を行っている。
【００８９】
図１０（ｃ）はＤＶＤ−Ｒの未使用ディスクの場合を示す。この場合には、学習後すぐに記録可能となる。
【００９０】
図１０（ｄ）はＤＶＤ−ＲＷの未使用ディスクの場合を示す。時刻ｔ０から時刻ｔ３の期間でファイルシステムのフォーマット処理を行っている。
【００９１】
例えば、上記各期間に要する時間を、
ディスク記録情報取得：ｔ１−ｔ０＝３（ｓｅｃ）
ファイルシステム起動：ｔ２−ｔ０＝６（ｓｅｃ）
フォーマット：ｔ３−ｔ０＝１０（ｓｅｃ）
とする。
【００９２】
また、メモリ容量を１０Ｍバイト、映像データの平均転送レートを９Ｍｂｐｓとすると、メモリ蓄積量の上限に達するまでの時間は約９（ｓｅｃ）となる。そのため、ＤＶＤ−ＲＷの未使用ディスク以外は、時刻ｔ０の前で撮影を開始してメモリへの蓄積を開始すれば、メモリ容量をオーバーしないでディスク１２０への記録が可能となる。
【００９３】
ＤＶＤ−ＲＷの未使用ディスクの場合には、フォーマットに１０（ｓｅｃ）必要となり、メモリ１０８への蓄積時間９（ｓｅｃ）より長いために、時刻ｔ０以降の適切な時刻からメモリ１０８への蓄積を開始する必要がある。
【００９４】
従って、図１０（ｅ）に示すようにＤＶＤ−ＲＷの未使用ディスク以外は時刻ｔ０の手前に撮影開始可能時刻ｔｓ１を設定し、ＤＶＤ−ＲＷの未使用ディスクの場合には、時刻ｔ０から所定時間経過後の時刻ｔｓ２を撮影開始可能時刻とする。
【００９５】
撮影者へ撮影開始可能であることを報知するインタフェースは第1の実施形態と同様にＬＣＤ表示部１０６の画面に状況を表示することで対応可能である。また、所定の電子音、音声等で報知しても良い。
【００９６】
本実施形態によれば、ディスクの未使用、使用済みだけでなく、ディスクの種別毎に起動シーケンスが異なる場合でも撮影開始可能時刻を適切に設定するため、ディスクに記録可能となる時刻の前から撮影ができるようになり、撮影機会の損失を低減することができる。
【００９７】
（第３の実施形態）
図１１は本発明の第３の実施形態のフローを示す。本実施形態の基本的な構成は図１と同様であるので詳しい説明は省略する。本実施形態では、媒体種別及び記録方式毎に起動シーケンスが異なる場合でも、撮影可能時刻を適切に設定するものである。なお、図１１では第２の実施形態の図９と同一処理には同一ステップ番号を付している。
【００９８】
ＤＶＤを例に記録方式について説明する。ＤＶＤにユーザデータを記録する場合、大別して２つの記録方式がある。１つはincremental Recording方式であり、もう一つはRestricted OverWrite方式である。前者のincremental Recording方式はシーケンシャルにデータを記録する方式であり、後者のRestricted OverWrite方式は上書き可能な光ディスクでランダムアクセスが可能な記録方式である。
【００９９】
図１１において、まず、Ｓ２０１で電源をオンし、Ｓ２０２でディスク有無の判別を行う。次に、Ｓ２０３及びＳ２０４でサーボの立ち上げ及び媒体種別の判別を行う。媒体種別判別後に、Ｓ２０５でピックアップ１２２を媒体毎に規定されているディスクの管理情報を記録しているトラックに移動させて管理情報を再生する。
【０１００】
管理情報を再生する際に、読み出し開始位置から所定期間再生信号の振幅を監視することにより、未使用ディスクか否かの判別を行う。判別方法は第２の実施形態と同様である。
【０１０１】
次に、未使用ディスクか使用済みディスクかの判別結果に従い、Ｓ２１４で撮影開始可能時刻（撮影開始可能タイミング）の設定を行う。本実施形態では、ディスクの記録方式に応じて撮影開始可能時刻の設定を行う。
【０１０２】
次に、Ｓ２０６でレーザパワーの最適値等を探索するための学習処理を行う。方法は第１の実施形態と同様である。
【０１０３】
次に、Ｓ２０７で未使用ディスクであるか、使用済みディスクであるかを判別し、その結果に応じて処理を分岐する。使用済みディスクの場合にはＳ２０８でメディア種別の判別を行い、未使用ディスクの場合にはＳ２０９に移行する。
【０１０４】
Ｓ２０８では、メディア種別に従って処理を分岐する。ＤＶＤ−Ｒディスクの場合には、Ｓ２１０で記録済みデータ領域に関する情報が保持されている領域を再生し、ディスク記録情報を取得する。これは、追記する際の先頭アドレス値等の情報を含むものである。その後、Ｓ２１３でディスクに記録開始可能となる。
【０１０５】
ＤＶＤ−ＲＷディスクの場合には、Ｓ２１１でファイルシステムの管理情報を再生して取得し、Ｓ２１３で記録可能な状態となる。
【０１０６】
一方、Ｓ２０７で未使用ディスクと判定された場合には、Ｓ２０９でメディア種別の判別を行い、メディア種別毎に処理を分岐する。ＤＶＤ−Ｒディスクの場合には、Ｓ２１３で即座に記録可能な状態となる。
【０１０７】
一方、ＤＶＤ−ＲＷディスクの場合には、Ｓ２１５で記録方式を判別し、その結果に応じて処理を分岐する。ここで、Ｓ２１５に達した時点で表示画面に記録方式を選択するためのメッセージを表示し、撮影者が選択できるようにしても良い。また、ボタン等により記録方式を選択できるようにしても良い。
【０１０８】
記録方式がIncremental recording方式の場合には、ディスクに記録可能な状態となり、Ｓ２１３に移行する。また、記録方式がRestricted OverWrite方式の場合には、フォーマット、所定領域をパディング等の処理をＳ２１２で行った後に、Ｓ２１３で記録開始可能となる。
【０１０９】
次に、Ｓ２１４の撮影開始可能時刻の設定方法について説明する。使用済みディスクの場合には、第２の実施形態と同様なので説明は省略する。
【０１１０】
ここでは、記録方式に応じた撮影開始時刻の設定を考慮して、Ｓ２１５の直前に撮影者が記録方式を設定した時刻を基準に、その時刻からのオフセット時間をＳ２１４でセットする。Incremental recording方式の場合には、すぐにディスクに記録可能なのでオフセット時間は“０”とする。
【０１１１】
また、Restricted OverWrite方式の場合には、Ｓ２１５のフォーマット処理の時間及びメモリ容量を考慮してオフセット時間“Δｔ“をセットする。その場合、例えば、メモリ空き容量が大きいほどΔｔは小さくセットすることができる。オフセット時間による撮影開始可能タイミングを使用者に知らせる方法としては、同様に電子音、音声、ＬＣＤ表示部１０６にメッセージを表示する等の方法がある。
【０１１２】
以上により、メディアの種別だけでなく、記録方式によって撮影までのフローが異なる場合でも、適切に撮影開始可能時刻が設定できるので、撮影者は実際にディスクにデータの記録が可能となる前の時刻から撮影動作を始めることができる。
【０１１３】
なお、以上の実施形態では、電源オン時に撮影開始タイミングを設定すると説明したが、本発明は、これに限ることなく、ディスク装着時に同様の処理を行うことで、撮影開始可能タイミングを設定し、使用者に報知しても良い。
【図面の簡単な説明】
【０１１４】
【図１】本発明の第１の実施形態を示すブロック図である。
【図２】間欠記録を説明するタイミングチャートである。
【図３】第１の実施形態の動作を説明するフローチャートである。
【図４】ディスクが未記録か記録済みかの判別方法を説明する図である。
【図５】第１の実施形態の動作を説明するタイミングチャートである。
【図６】第１の実施形態の撮影開始可能タイミングを説明するタイミングチャートである。
【図７】第１の実施形態のＬＣＤ表示部に表示するメッセージの一例を示す図である。
【図８】第１の実施形態の未使用ディスクと使用済みディスクの起動時の動作を説明するタイミングチャートである。
【図９】本発明の第２の実施形態を説明するフローチャートである。
【図１０】第２の実施形態の動作を説明するタイミングチャートである。
【図１１】本発明の第３の実施形態を説明するフローチャートである。
【符号の説明】
【０１１５】
１０１  撮影レンズ
１０２  撮像センサ
１０３  映像信号処理部
１０４  レンズドライバー
１０５  圧縮伸長処理部
１０６  ＬＣＤ表示部
１０７  映像表示処理部
１０８  メモリ
１０９  制御マイコン
１１０  フラッシュメモリ
１１１  バッテリー
１１２  電源ＳＷ
１２０  光ディスク
１２１  スピンドルモータ
１２２  ピックアップ
１２３  ドライブ信号処理部
１２４  送りモータ
１２５  ピックアップドライバー
【図１】
0004444912.tif 000002
【図２】
0004444912.tif 000003
【図３】
0004444912.tif 000004
【図４】
0004444912.tif 000005
【図５】
0004444912.tif 000006
【図６】
0004444912.tif 000007
【図７】
0004444912.tif 000008
【図８】
0004444912.tif 000009
【図９】
0004444912.tif 000010
【図１０】
0004444912.tif 000011
【図１１】
0004444912.tif 000012